(57)【要約】【課題】ユーザが、指紋センサに指をセンスさせるために、指紋センサ上に指を進入させる際、その進入の角度のばらつきによる指紋の読み取り精度のばらつきを吸収しやすい指紋センサユニットを提供する。【解決手段】指紋から指紋データを読み取る指紋センサと、指紋センサを支持する可動部と、可動部を全方向に傾き可能にするとともに、可動部が傾く範囲において一部球状に形成された球状部、球状部を支持するとともに設置面に設置された支持部と、傾いた可動部を付勢するとともに、支持部を囲むように設置面に設置された弾性体とを備える。【選択図】図１
2008217644.tif 000002
【特許請求の範囲】
【請求項１】
指紋から指紋データを読み取る指紋センサと、前記指紋センサを支持する可動部と、前記可動部を全方向に傾き可能にするとともに、前記可動部が傾く範囲において一部球状に形成された球状部、前記球状部を支持するとともに設置面に設置された支持部と、傾いた前記可動部を付勢するとともに、前記支持部を囲むように前記設置面に設置された弾性体とを備えたことを特徴とする指紋センサユニット。
【請求項２】
指が載せられていないときに、前記指紋センサは水平であることを特徴とする請求項１記載の指紋センサユニット。
【請求項３】
指紋から指紋データを読み取る指紋センサと、前記指紋センサを支持する可動部と、前記可動部を全方向に傾き可能にするとともに、前記可動部が傾く範囲において一部球状に形成された球状部、前記球状部を支持するとともに設置面に設置された支持部と、傾いた前記可動部を付勢するとともに、前記支持部を囲むように前記設置面に設置された弾性体とを備えたことを特徴とする指紋センサユニットと、
前記指紋センサユニットから指紋データを受け取り、この指紋データと、予め記憶された指紋データとを照合する照合手段とを有することを特徴とする情報処理装置。
【請求項４】
筐体と、
指紋から指紋データを読み取る指紋センサと、前記指紋センサを支持する可動部と、前記可動部を全方向に傾き可能にするとともに、前記可動部が傾く範囲において一部球状に形成された球状部、前記球状部を支持するとともに設置面に設置された支持部と、傾いた前記可動部を付勢するとともに、前記支持部を囲むように前記設置面に設置された弾性体とを備えたことを特徴とする指紋センサユニットとを有し、
ユーザが前記指紋センサに接触可能に前記指紋センサユニットを前記筐体に内蔵するとともに、前記指紋センサに指が載っていない場合には、前記指紋センサは筐体から突出しないことを特徴とする情報処理装置。
【発明の詳細な説明】
【技術分野】
【０００１】
本発明は、指紋による本人認証に用いる指紋センサユニット、及び、この指紋センサユニットを搭載する情報処理装置に関する。
【背景技術】
【０００２】
従来より、本人認証に指紋センサが用いられている。ところで、指紋センサに正常に指紋データを抽出させるには、ユーザが、指を指紋センサに適切にあてる必要がある。ところが、指紋センサが水平に固定されている場合には、指紋センサは、ユーザが指紋センサのセンス面に指を立ててしまうと、指の先端の指紋しか読み取れなかったりし、また、指が傾いて指紋センサに置かれると、側面の指紋しか読み取れなかったりし、正常に認証ができないという問題がある。
【０００３】
そこで、指紋センサを、傾斜をつけて配置することにより、指紋の読み取り精度をあげることが提案されている（例えば、特許文献１）。
【０００４】
【特許文献１】特開２００５−３３８９８０号公報
【発明の開示】
【発明が解決しようとする課題】
【０００５】
しかしながら、特許文献１記載の技術のように、単に指紋センサに傾斜をつけただけでは、ユーザが、指をあてる角度、すなわち、指紋センサに指を進入させる角度、によっては、指紋と、センサの位置とがうまく合わず、指紋の読み取り精度の向上に寄与しない場合がある。
【０００６】
そこで、本発明は、ユーザが、指紋センサに指をセンスさせるために、指紋センサ上に指を進入させる際、その進入の角度のばらつきによる指紋の読み取り精度のばらつきを吸収しやすい指紋センサユニットを提供することを目的とする。
【課題を解決するための手段】
【０００７】
本発明の指紋センサユニットは、指紋から指紋データを読み取る指紋センサと、前記指紋センサを支持する可動部と、前記可動部を全方向に傾き可能にするとともに、前記可動部が傾く範囲において一部球状に形成された球状部、前記球状部を支持するとともに設置面に設置された支持部と、傾いた前記可動部を付勢するとともに、前記支持部を囲むように前記設置面に設置された弾性体とを備えたことを特徴とする。
【０００８】
本発明の情報処理装置は、指紋から指紋データを読み取る指紋センサと、前記指紋センサを支持する可動部と、前記可動部を全方向に傾き可能にするとともに、前記可動部が傾く範囲において一部球状に形成された球状部、前記球状部を支持するとともに設置面に設置された支持部と、傾いた前記可動部を付勢するとともに、前記支持部を囲むように前記設置面に設置された弾性体とを備えたことを特徴とする指紋センサユニットと、前記指紋センサユニットから指紋データを受け取り、この指紋データと、予め記憶された指紋データとを照合する照合手段とを有することを特徴とする。
【０００９】
本発明の情報処理装置は、筐体と、指紋から指紋データを読み取る指紋センサと、前記指紋センサを支持する可動部と、前記可動部を全方向に傾き可能にするとともに、前記可動部が傾く範囲において一部球状に形成された球状部、前記球状部を支持するとともに設置面に設置された支持部と、傾いた前記可動部を付勢するとともに、前記支持部を囲むように前記設置面に設置された弾性体とを備えたことを特徴とする指紋センサユニットとを有し、ユーザが前記指紋センサに接触可能に前記指紋センサユニットを前記筐体に内蔵するとともに、前記指紋センサに指が載っていない場合には、前記指紋センサは筐体から突出しないことを特徴とする。
【発明の効果】
【００１０】
本発明によれば、ユーザが、指紋センサに指をセンスさせるために、指紋センサ上に指を進入させる際、その進入の角度のばらつきによる指紋の読み取り精度のばらつきを吸収しやすい指紋センサユニットを提供することができる。
【発明を実施するための最良の形態】
【００１１】
以下、図面を参照して本発明を実施するための最良の形態について詳細に説明する。図１は、本発明の実施の形態の指紋センサユニット１０の正面図、及び、断面図を説明するための図である。図１（ａ）は、正面図であり、図１（ｂ）は、図１（ａ）のＡ−Ａ‘での断面図であり、図１（ｃ）は、図１（ａ）のＢ−Ｂ’での断面図である。
【００１２】
図１を参照すると、指紋センサユニット１０は、例えばラインセンサやエリアセンサからなる指紋センサ１１と、指紋センサ１１を支持する可動部１２、可動部１２を全方向に傾き可能にするとともに球状に形成された球状部１３、球状部１３を支持するとともに設置面（例えば後述するユニット１０の筐体や情報処理装置の筐体）に設置される支持部１４、及び、傾いた可動部１２を付勢するとともに、設置面に支持部１４を囲むように配された、例えばゴムからなる、弾性体１５を有する。なお、符号１６は、筐体であり、指紋センサユニット１０自体の筐体であっても、指紋センサユニット１０が搭載される情報処理装置の筐体であってもよい。また、本実施の形態では指紋センサ１１は弾性体１４により水平に保たれている。その際、本実施の形態では、指紋センサの高さは筐体１６の高さを超えない。また、球状部１３は、可動部１２が傾く範囲において球状の形状であればよい。
【００１３】
ユーザが指を指紋センサ１１に載せると、支持部１４の真上である場合には、可動部１２は動かないが、そうでない場合は、可動部１２が傾くことにより、指紋と指紋センサ１１とが適切に接触する。なお、指紋と指紋センサ１１とが接触している状態で、さらに指が傾いても、可動部１２はその方向に追随し、指紋と指紋センサ１１との接触を維持するよう動く。
【００１４】
このように、本発明の実施の形態の指紋センサ１０は、ユーザが、指紋センサ１１上に指を進入させて載せた際、その進入の角度による指紋の読み取り精度のばらつきを吸収しやすい構造となっている。
【００１５】
ここで、指紋センサ１１が読み取った指紋データは図示せぬ信号線、例えば、可動部１２を経由する信号線を介して、または、無線で、情報処理装置に送信される。指紋データを受け取った情報処理装置は、受け取った指紋データと、情報処理装置が記憶する指紋データとを照合し、本人認証をする。
【図面の簡単な説明】
【００１６】
【図１】指紋センサユニット１０の正面図、及び、断面図を説明するための図である。
【符号の説明】
【００１７】
１０  指紋センサユニット
１１  指紋センサ
１２  可動部
１３  球状部
１４  支持部
１５  弾性体
１６  筐体
【図１】
2008217644.tif 000003